(57)【要約】【課題】ポーチから容器が抜け落ちることを長期に亘って確実に防止する。【解決手段】容器１に、側方へ突き出ている係合突部１８を周方向の１か所以上に設ける。ポーチ２に、係合突部１８を挿入可能な開口１９を有する係合口部２０を設ける。容器１の外装部品に作った係合突部１８と、ポーチ２の周側部１２の孔周囲に作った係合口部２０とにより、容器１の抜け落ちを長期に亘って確実に防止できるようにした。ポーチ２の周側部１２に取り付けたベルト留め部１５及びベルト部１６を有する調整操作部３を採用し、ベルト部１６によって開口１９、及び、ここに挿入された係合突部１８を覆い隠すようにした。【選択図】図１
2015101390.tif 000002
【特許請求の範囲】
【請求項１】
上部に注ぎ口を有する有底筒状の容器と、
前記注ぎ口が露出するように前記容器を収容可能なポーチと、
前記ポーチ及び前記容器の一方に設けられた突起状の係合突部と、
前記一方に対応の他方に設けられ、前記係合突部を挿入可能な開口を有する係合口部と、を備える飲料容器。
【請求項２】
前記係合突部は、前記容器に設けられ、前記係合口部は、前記ポーチに設けられている請求項１に記載の飲料容器。
【請求項３】
前記開口が、前記ポーチの上縁に近い側に設けられている請求項２に記載の飲料容器。
【請求項４】
前記ポーチの底部は、前記容器を当該ポーチに収容した状態で前記係合突部と前記開口とを同高さに維持可能であり、
前記底部に載置された前記容器の外側面と前記ポーチの内側面との間に、前記容器を回転させることにより前記係合突部を当該ポーチの内側面に対して周方向に滑らせて前記開口へ挿入可能な隙間が設定されている請求項３に記載の飲料容器。
【請求項５】
前記係合突部は、下げ紐の取付先として使用可能に形成されている請求項２から４のいずれか１項に記載の飲料容器。
【請求項６】
前記ポーチの周側部に取り付けられたベルト留め具と、前記周側部を前記ベルト留め具の方へ引き寄せて当該ベルト留め具に結合可能なベルト部とを有する調整操作部を備え、
前記係合口部及び前記係合突部が、前記ベルト部によって覆い隠される請求項１から５のいずれか１項に記載の飲料容器。
【請求項７】
前記係合突部と前記係合口部の組は、２組以上設けられている請求項１から６のいずれか１項に記載の飲料容器。
【請求項８】
前記係合突部が前記開口に挿入されている状態で、当該係合突部と当該係合口部との間に、上下方向に隙間が形成されている請求項１から７のいずれか１項に記載の飲料容器。
【発明の詳細な説明】
【技術分野】
【０００１】
この発明は、飲料の携帯に使用される飲料容器に関する。
【背景技術】
【０００２】
飲料容器の中には、容器を専用のポーチに収容して携帯するようにしたものがある。ポーチは、注ぎ口が露出するように容器を収容可能になっている。ポーチに収めた容器の注ぎ口を開け、ポーチごと容器を傾けることにより、注ぎ口から容器内の飲料を流出させることができる。容器内の飲料残量が少なくなると、使用者は、底部側を高く上げて傾ける。この際、容器がポーチから抜け落ちないように対策を取ることが望ましい。
【０００３】
その対策として、ポーチの周側内面に合成ゴム製又はシリコン樹脂製の滑止材を貼り付け、ポーチを締めて滑止材を容器の周側に密着させるようにしたものがある（特許文献１）。
【先行技術文献】
【特許文献】
【０００４】
【特許文献１】特開２００６−１７６１７０号公報（特に要約書）
【発明の概要】
【発明が解決しようとする課題】
【０００５】
しかしながら、特許文献１に開示されている滑止材は、繰り返し使用されるうちに、表面の凹凸がすり減ったり、経年変化で素材が劣化したりするため、滑り易い表面へ徐々に変化していく。また、ポーチの汚れを落とすために洗濯されると、滑止材の劣化が急に進む。このように、滑止材を採用した抜け落ち防止対策は、容器の抜け落ちを長期に亘って防止することに不安がある点で改良の余地がある。
【０００６】
そこで、この発明が解決しようとする課題は、ポーチから容器が抜け落ちることを長期に亘って確実に防止することにある。
【課題を解決するための手段】
【０００７】
上記の課題を解決するため、この発明は、上部に注ぎ口を有する有底筒状の容器と、前記注ぎ口が露出するように前記容器を収容可能なポーチと、前記ポーチ及び前記容器の一方に設けられた突起状の係合突部と、前記一方に対応の他方に設けられ、前記係合突部を挿入可能な開口を有する係合口部と、を備える飲料容器に構成した。
【０００８】
係合突部を係合口部の開口に挿入することにより、ポーチに対して抜け出す方向、回転方向等への容器の動きが規制されるので、容器をポーチに収容した状態が維持される。係合突部及び係合口部は、容器に飲料を最大まで収容した際に生じるせん断応力に抗していずれも変形しない又は変形し難い一般的な素材から形成されればよく、また、その機械的強度や大きさを予め長期使用による摩耗等を考慮した十分な仕様に設定することは、容易に可能である。
【発明の効果】
【０００９】
したがって、この発明は、上記構成の採用により、ポーチから容器が抜け落ちることを長期に亘って確実に防止することができる。
【図面の簡単な説明】
【００１０】
【図１】（ａ）はこの発明に係る第１実施例の要部を示す斜視図、（ｂ）は第１実施例の係合口部付近を切断した縦断面図
【図２】第１実施例の全体構成を示す斜視図
【図３】（ａ）は第１実施例の係合突部と係合口部の周方向位置合わせをする前の様子を示す斜視図、（ｂ）は当該様子を示す横断面図
【図４】（ａ）は図３から前記周方向位置合わせをした後の様子を示す斜視図、（ｂ）当該様子を示す横断面図
【図５】この発明に係る第２実施例の要部を示す縦断面図
【図６】この発明に係る第３実施例の要部を示す縦断面図
【発明を実施するための形態】
【００１１】
この発明の好ましい実施形態を説明する。
【００１２】
第１実施形態において、前記係合突部は、前記容器に設けられ、前記係合口部は、前記ポーチに設けられている。第１実施形態は、機械的強度に優れた容器の外装部品に、長期使用に耐え得る係合突部を簡単に作ることができる。また、第１実施形態は、ポーチに孔を作って係合口部を簡単に作ることができる。
【００１３】
第２実施形態は、第１実施形態をより具体化したものである。すなわち、第２実施形態において、前記開口が、前記ポーチの上縁に近い側に設けられている。第２実施形態は、ポーチの上縁の近傍に係合口部の開口を目視可能なため、係合口部と前記係合突部の位置合わせを容易にすることができる。
【００１４】
第３実施形態は、第２実施形態をより具体化したものである。すなわち、第３実施形態において、前記ポーチの底部は、前記容器を当該ポーチに収容した状態で前記係合突部と前記開口とを同高さに維持可能であり、前記底部に載置された前記容器の外側面と前記ポーチの内側面との間に、前記容器を回転させることにより前記係合突部を当該ポーチの内側面に対して周方向に滑らせて前記開口へ挿入可能な隙間が設定されている。第３実施形態は、係合突部の向きを気にすることなく容器をポーチの底部に載せると、開口と係合突部が同高さの状態となるため、そのまま容器をポーチの底部上で回転させることにより、係合突部を開口に挿入することができる。
【００１５】
第４実施形態は、第１実施形態をより具体化したものである。すなわち、第４実施形態において、前記係合突部は、下げ紐の取付先として使用可能に形成されている。第４実施形態は、下げ紐付きでないポーチを採用するときや、下げ紐付きの前記ポーチを使用しないときでも、使用者が係合突部に取り付けた下げ紐によって容器を吊り下げ得るので、容器の携帯性を向上させることができる。なお、第４実施形態は、第２実施形態及び第３実施形態の中の１つ以上と適宜に組み合わせて採用することも可能である。
【００１６】
第５実施形態においては、前記ポーチの周側部に取り付けられたベルト留め具と、前記周側部を前記ベルト留め具の方へ引き寄せて当該ベルト留め具に結合可能なベルト部とを有する調整操作部を備え、前記係合口部及び前記係合突部が、前記ベルト部によって覆い隠される。第５実施形態は、ベルト部とベルト留め具を用いてポーチを締めることができる。また、第５実施形態は、そのベルト部によって係合口部及び係合突部が覆い隠されるので、ポーチで容器を携帯する際の意匠性低下を防止することができる。また、前記開口に挿入された係合突部が露出しないので、係合突部が他物体にぶつけられることを防止することもできる。なお、第５実施形態は、第１実施形態〜第４実施形態の中の１つ以上と適宜に組み合わせて採用することも可能である。
【００１７】
第６実施形態においては、前記係合突部と前記係合口部の組は、２組以上設けられている。第６実施形態は、容器の抜け落ち防止を各組が分担するため、各組にかかる負荷が軽減され、より長期に亘って係合突部と係合口部の劣化を避けることができる。なお、第６実施形態は、第１実施形態〜第５実施形態の中の１つ以上と適宜に組み合わせて採用することも可能である。
【００１８】
第７実施形態においては、前記係合突部が前記開口に挿入されている状態で、当該係合突部と当該係合口部との間に、上下方向に隙間が形成されている。第７実施形態は、前記容器と前記ポーチの上下方向の相対移動を当該隙間の大きさ分だけ許容することができる。したがって、両者の周方向相対移動を係合突部と係合口部で規制しつつ、ポーチの上下方向長さの製造誤差を吸収し、ポーチの皺を防止することができる。なお、第７実施形態は、第１実施形態〜第６実施形態の中の１つ以上と適宜に組み合わせて採用することも可能である。
【実施例】
【００１９】
以下、この発明の第１実施例を添付図面に基いて説明する。図１〜図４に示す第１実施例は、容器１と、ポーチ２と、ポーチ２を締める調整操作部３とを備える。
【００２０】
容器１は、図１に示すように、内部に飲料を収容し、着脱式の中栓４によって密封可能になっている。容器１は、上部に注ぎ口５を有する有底筒状になっている。また、容器１は、飲料携帯に際して一体に取り扱われ、外底面で水平面上に立てることが可能になっている。ここで、「上下」の概念は、その水平面に対して直角な上下方向での上下を意味する（以下、同じ。）。
【００２１】
容器１は、注ぎ口５を開放し、上下方向に対して傾けることにより、注ぎ口５から飲料を流出させることができる。
【００２２】
容器１は、例えば、ステンレス鋼製まほうびんとして構成することができる。
【００２３】
容器１は、図３に示すように、上面に口部をもった飲料収容室を形成する有底筒状の瓶６と、瓶６に強制嵌合された肩カバー７とを有する。瓶６は、例えば、真空二重びんとして構成することができる。
【００２４】
注ぎ口５は、図１に示すように、中栓４に設けられている。中栓４は、注ぎ口５を密封するための開閉蓋８を有する。瓶６の口部を注ぎ口にしてもよい。
【００２５】
肩カバー７の全体は、エンジニアリングプラスチックにより一体に形成されている。
【００２６】
容器１は、図２及び図３に示すように、コップ９を備える。コップ９は、肩カバー７の外面に形成された雄ねじ１０に対し、上方から螺着脱可能になっている。
【００２７】
ポーチ２は、瓶６の外底面を支持する底部１１と、底部１１に連設された周側部１２とを有する。ここで、「周」の概念は、上下方向の軸線周りの円周方向を意味する（以下、同じ。）。当該軸線は、瓶６や肩カバー７に対する螺着脱用のねじ軸線に一致している。
【００２８】
周側部１２は、容器１の底部から肩カバー７までを覆うことができる高さで円筒状に形成され、周方向一か所にスライドファスナ１３を有する。スライドファスナ１３は、上下方向にスライダを動かすことによって開閉可能になっている。周側部１２は、スライドファスナ１３の開閉動に追随して変形可能な可撓性をもっている。スライドファスナ１３を閉めると、周方向に一連の周側部１２が完成する。これにより、ポーチ２は、注ぎ口５が露出するように容器１を収容可能な有底筒状となる。ポーチ２の上縁１４は、ポーチ２の袋口を形成する周側部１２の縁から構成される。
【００２９】
調整操作部３は、周側部１２に取り付けられたベルト留め具１５及びベルト部１６からなる。ベルト部１６の基端側が周側部１２の外側面に固定されている。ベルト部１６の自由端側には、ベルト留め具１５に対応の結合具１７が固定されている。ベルト留め具１５は、周側部１２の外側面に固定されている。
【００３０】
ベルト留め具１５、結合具１７は、例えば、面ファスナからなる。ベルト留め具１５、結合具１７は、周側部１２の周方向の製造誤差を吸収するため、周方向に結合位置を調整可能なものを採用することが好ましい。
【００３１】
周側部１２がスライドファスナ１３によって完成した状態で、ベルト部１６を周方向にベルト留め具１５の方へ引っ張ることにより、ベルト部１６の基端側が固定されている周側部１２は、その固定箇所からベルト留め具１５の方へ引き寄せられ、皺を生じて周方向に縮められる。この引き寄せたベルト部１６の結合具１７をベルト留め具１５に結合することにより、周側部１２が周方向に縮められた状態に維持される。このように、第１実施例は、ベルト部１６とベルト留め具１５を用いて周側部１２を周方向に絞ることにより、ポーチ２を締めることができる。この後、ベルト部１６をベルト留め具１５から外すと、ポーチ２の絞りを緩めることができる。
【００３２】
ベルト部１６をベルト留め具１５から外して周方向にスライドファスナ１３を開けると、周側部１２がポーチ２の上縁１４から割れ、容器１を底部１１へ容易に載置することが可能になる。底部１１に容器１を載置してスライドファスナ１３を閉めると、周側部１２が瓶６を隠すが、上縁１４は注ぎ口５よりも低い位置となる。このように、ポーチ２は、底部１１に載置された容器１の注ぎ口５が露出するように容器１を収容可能に設けられている。
【００３３】
第１実施例は、図１（ｂ）に示すように、ポーチ２及び容器１の一方に設けられた突起状の係合突部１８と、前記一方に対応の他方に設けられ、係合突部１８を挿入可能な開口１９を有する係合口部２０とを備える。
【００３４】
係合突部１８は、容器１に設けられている。係合突部１８は、図２〜図４に示すように、第１丸軸部２１と、第１丸軸部２２よりも大径の第２丸軸部２２とからなる。係合突部１８の軸線は、側方に設定され、第２丸軸部２２が係合突部１８の先端側に位置している。ここで、「側方」とは、上下方向に対して交差する方向のことをいう。
【００３５】
第１丸軸部２１は、肩カバー７に連続している。このように、第１実施例は、容器１の外装部品たる肩カバー７に、長期使用に耐え得る係合突部１８を簡単に作ることができる。例えば、このような係合突部１８は、肩カバー７を形成する上下二分割の金型により、肩カバー７と一体に同時形成することができる。
【００３６】
係合口部２０は、ポーチ２に設けられている。周側部１２の内外両側面間に亘って貫通する孔を作り、この孔の周囲に鳩目を取り付けることにより、開口１９を有する係合口部２０がポーチ２に設けられる。このように、第１実施例では、係合口部２０を簡単に構成することができる。また、鳩目を設けることにより、繊維製品、合成皮革といった柔軟な素材からなる周側部１２の孔縁によって係合口部を構成する場合と比して、係合口部２０を長期に亘って劣化し難くすることができる。
【００３７】
係合口部２０の内径は、第２丸軸部２２よりも大径の開口１９を形成するように設定されている。このため、底部１１に載置された容器１の係合突部１８を開口１９に挿入することができる。
【００３８】
係合突部１８と係合口部２０は、それぞれ周方向１か所のみに設けられている。係合突部１８及び係合口部２０は、それぞれ容器１に飲料を最大まで収容した際に生じるせん断応力に抗して変形しない又は変形し難い一般的な素材（例えば、金属、合成樹脂等）から形成することができる。
【００３９】
図１、図２に示すように、係合口部２０は、ポーチ２の上縁１４に近い側に設けられている。このため、第１実施例は、係合突部１８を前述のように挿入する際、上縁１４の近傍に係合口部２０の開口１９を目視可能なため、係合口部２０と係合突部１８の位置合わせを容易にすることができる。
【００４０】
図３、図４に示すように、底部１１は、容器１をポーチ２に収容した状態で係合突部１８と開口１９を同高さに維持可能な剛性をもっている。また、底部１１に載置された容器１の外側面２４と、調整操作部３が緩められたポーチ２の周側部１２の内側面２５との間に、隙間ｇ１が設定されている。隙間ｇ１の設定は、次の第１〜第３の条件を満足するようになっている。第１の条件は、載置された容器１の係合突部１８と、スライドファスナ１３によって完成した周側部１２の開口１９との周方向位置がずれているとき、周側部１２の柔軟性によって周側部１２の内側に係合突部１８を収めることは可能だが、内側面２５が係合突部１８の軸線方向に係合突部１８を圧迫することである。第２の条件は、容器１がポーチ２から露出する部分を掴んで容器１を周方向に回すことにより、前記圧迫されている係合突部１８を当該内側面２５に対して周方向に滑らせることができることである。第３の条件は、その容器１の回転によって係合突部１８が開口１９に正対するに連れて、ポーチ２の内側面２５の圧迫によって自然と開口１９へ挿入されることである。
【００４１】
このような隙間ｇ１が設定されているため、第１実施例は、係合突部１８の向きを気にすることなく容器１を底部１１に載せ、開口１９と係合突部１８を同高さの状態とし、そのまま容器１を底部１１上で回転させる作業だけで係合突部１８を開口１９に挿入することができる。
【００４２】
この回転作業を行う際、係合突部１８が先端側を大径とした段付き軸状なので、その段差面２６が係合口部２０に回転方向に引っ掛り易い。このため、第１実施例は、前述の自然な挿入を確実に発生させることができる。
【００４３】
係合突部１８を開口１９に挿入後、図１に示すように調整操作部３を使用して、ポーチ２を締めることができる。第１実施例は、調整操作部３のベルト部１６の結合部１７をベルト留め具１５に結合すると、その挿入状態を維持可能なようにポーチ２を締めることができる。通常、調整操作部３によって周側部１２が容器１の外面を締め付けるように絞ることができれば、係合突部１８が開口１９から抜けないようにするのに十分である。
【００４４】
ベルト部１６の取り付け高さ及びベルト幅は、結合部１７がベルト留め具１５に結合された状態で、係合口部２０がベルト部１６により覆われるように設定されている。ベルト部１６は、不透明になっている。開口１９及び挿入された係合突部１８は、ベルト留め具１８に結合されたベルト部１６によって覆い隠される。このため、第１実施例は、ポーチ２で容器１を携帯する際の意匠性低下を防止することができると共に、係合突部１８が露出しないので、周囲にある他物体等に係合突部１８をぶつけることも防止することができる。
【００４５】
上述のように、第１実施例は、容器１をポーチ２に収容し、容器１に設けられた突起状の係合突部１８をポーチ２に設けられた係合口部２０の開口１９に挿入することができる。このため、容器１がポーチ２に対して抜け出す方向、回転方向等に動こうとする場合、係合突部１８が係合口部２０と係合するため、その動きを規制することができる。したがって、容器１をポーチ２に収容した状態が維持される。しかも、係合突部１８及び係合口部２０の素材、機械的強度や大きさ（特に係合突部１８の軸線方向長さ）は、予め、長期使用による摩耗等を考慮した十分な仕様に設定することが容易に可能である。したがって、第１実施例は、容器１を傾けて注ぎ口５から飲料を流出させる際、ポーチ２から容器１が抜け落ちることを長期に亘って確実に防止することができる。
【００４６】
例えば、容器１をポーチ２に収容したまま、コップ９等の容器１のねじ部品を螺着脱する際、ねじ回しのトルクに抵抗して係合突部１８と係合口部２０が係合する。このため、第１実施例は、周側部１２ごと容器１を掴んでコップ９等の螺着脱作業を容易に行うことができる、という副次的な効果を得ることもできる。
【００４７】
第２実施例を図５に基いて説明する。以下、第１実施例に対する相違点のみを説明する。第２実施例は、係合突部１８と係合口部２０の組が２組以上設けられているので、容器１の抜け落ち防止を各組が分担する。このため、第２実施例は、各組にかかる負荷が軽減されるので、より長期に亘って係合突部１８と係合口部２０の劣化を避けることができる。なお、第２実施例は２組を例示したが、３組以上でもよいことは勿論である。また、係合突部１８及び係合口部２０は、それぞれ周方向等配にすることが好ましい。
【００４８】
また、第２実施例は、係合突部１８が軸線方向に長く突き出た段付き軸状なので、係合突部１８を下げ紐２７の取付先として使用することができる。したがって、第２実施例は、下げ紐付きでないポーチを採用するときや、下げ紐付きのポーチ２を使用しないときでも、使用者が係合突部１８に取り付けた下げ紐２７によって容器１を吊り下げ得るので、容器１の携帯性を向上させることができる。なお、係合突部１８を１か所のみとし、ここに下げ紐２７を取り付けるようにしてもよい。
【００４９】
第３実施例を図６に基いて説明する。第３実施例では、係合突部３０が開口１９に挿入されている状態で、係合突部３０と係合口部２０との間に、上下方向に隙間ｇ２が生じる。隙間ｇ２は、係合突部３０の軸線方向に直角な断面形状において、上下方向に短軸、上下方向に直角な横方向に長軸を設定した楕円軸状を採用することにより、実現されている。第３実施例は、開口１９に挿入された係合突部３０と係合口部２０との間に隙間ｇ２が設定されているため、容器の係合突部３０とポーチの周側部１２との間における上下方向の相対移動を許容することができる。したがって、容器とポーチの周方向相対移動を係合突部３０と係合口部２０で規制しつつ、ポーチの上下方向長さの製造誤差を隙間ｇ２の分だけ吸収し、周側部１２の皺を防止することができる。
【００５０】
なお、この発明の技術的範囲は、上述の各実施形態や各実施例に限定されず、特許請求の範囲の記載に基く技術的思想の範囲内での全ての変更を含むものである。例えば、調整操作部は、ポーチを締める周側部に外から掛ける縛り紐のように、周側部と別体で備えることもできる。また、調整操作部は、巾着袋の袋口を絞る引き紐のように、周側部の内部に通してもよい。また、スライドファスナを省略し、特許文献１のようにベルト部を周側部と一体に形成し、調整操作部により周側部を完成させるようにしてもよい。係合突部をポーチに設け、係合口部を容器に設けてもよい。例えば、ポーチの周側部に別部品の係合突部を縫着し、係合口部を肩カバーに穴部として形成することが可能である。また、係合突部、係合口部（開口）は、ポーチの上縁及びその近傍にもうけられていなくてもよい。また、ポーチと容器間に上述のように係合突部を滑らせるための隙間が設定されていなくてもよい。
【符号の説明】
【００５１】
１  容器
２  ポーチ
３  調整操作部
５  注ぎ口
７  肩カバー
１１  底部
１２  周側部
１４  上縁
１５  ベルト留め具
１６  ベルト部
１７  結合具
１８、３０  係合突部
１９  開口
２０  係合口部
２４  外側面
２５  内側面
２７  下げ紐
ｇ１  隙間
ｇ２  隙間
【図１】
2015101390.tif 000003
【図２】
2015101390.tif 000004
【図３】
2015101390.tif 000005
【図４】
2015101390.tif 000006
【図５】
2015101390.tif 000007
【図６】
2015101390.tif 000008